(57)【要約】【課題】  ヘルメットカバーのヘルメット本体への取り付け作業が簡単で、かつ確実に取り付けられるヘルメット構造を提供する。【解決手段】  ヘルメット本体１を覆うと共に該ヘルメット本体１に対し係止手段を介して着脱可能に取付られるヘルメットカバー８を備えたヘルメット構造において、前記係止手段は前記ヘルメットカバー８に設けられた樹脂製の滑り止め部材８であり、この滑り止め部材９は前記ヘルメット本体１に対して摩擦力を生じさせる部材であると共に、前記ヘルメット本体１に取り付けられた状態において、前記ヘルメット本体１の中心方向に締め付け力を生じさせる部材にて構成されたことを特徴とする。【選択図】        図１
2007023448.tif 000002
【特許請求の範囲】
【請求項１】
ヘルメット本体を覆うと共に該ヘルメット本体に対し係止手段を介して着脱可能に取付られるヘルメットカバーを備えたヘルメット構造において、前記係止手段は前記ヘルメットカバーに設けられた樹脂製の滑り止め部材であり、この滑り止め部材は前記ヘルメット本体に対して摩擦力を生じさせると共に、前記ヘルメット本体に取り付けられた状態において、前記ヘルメット本体の中心方向に締め付け力を生じさせる部材にて構成されたことを特徴とするヘルメット構造。
【請求項２】
前記ヘルメットカバーは、折り畳み可能な伸縮性のある部材で構成されると共に筒状に形成され、前記ヘルメット本体への取付前においてその筒径は前記ヘルメット本体の外径よりも小さく設定されていることを特徴とする請求項１に記載のヘルメット構造。
【請求項３】
前記ヘルメットカバーと前記ヘルメット本体との間にクリップ部材を設けたことを特徴とする請求項１又は請求項２に記載のヘルメット構造。
【発明の詳細な説明】
【技術分野】
【０００１】
この発明は、ヘルメット本体の外側にヘルメットカバーが装着されるヘルメット構造に関するものである。
【背景技術】
【０００２】
例えば、自動二輪車等の乗員保護用として用いられるヘルメット構造の中には、ヘルメット本体の外側にカバーを被せ、カバーとヘルメット本体との間にベルクロテープ等の剥離可能な面接着テープを設けた構造のものがある（特許文献１参照）。
【特許文献１】実開昭６４−１００３７号公報
【発明の開示】
【発明が解決しようとする課題】
【０００３】
上記従来のヘルメット構造にあっては、カバーの取り外しが可能ではあるが、カバー側とヘルメット本体側の双方に面接着テープを取り付けなければならないため、カバーを取り付ける際に、面接着テープの位置を合わせることが必要となり取付作業が面倒になるという課題がある。
また、カバーを取り付けた状態で走行した場合に、カバーがヘルメット本体から走行風により飛ばされないような構造が望まれている。
【０００４】
そこで、この発明は、ヘルメットカバーのヘルメット本体への取り付け作業が簡単で、かつ確実に取り付けられるヘルメット構造を提供することを目的とする。
【課題を解決するための手段】
【０００５】
上記目的を達成するために、請求項１に記載した発明は、ヘルメット本体（例えば、実施形態におけるヘルメット本体１）を覆うと共に該ヘルメット本体に対し係止手段を介して着脱可能に取付られるヘルメットカバー（例えば、実施形態におけるヘルメットカバー８）を備えたヘルメット構造において、前記係止手段は前記ヘルメットカバーに設けられた樹脂製の滑り止め部材（例えば、実施形態における滑り止め部材９）であり、この滑り止め部材は前記ヘルメット本体に対して摩擦力を生じさせると共に、前記ヘルメット本体に取り付けられた状態において、前記ヘルメット本体の中心方向に締め付け力を生じさせる部材にて構成されたことを特徴とする。
【０００６】
請求項２に記載した発明は、前記ヘルメットカバーは、折り畳み可能な伸縮性のある部材で構成されると共に筒状に形成され、前記ヘルメット本体への取付前においてその筒径（例えば、実施形態における開口部の内径ｄ）は前記ヘルメット本体の外径（例えば、実施形態における外径Ｄ）よりも小さく設定されていることを特徴とする。
【０００７】
請求項３に記載した発明は、前記ヘルメットカバーと前記ヘルメット本体との間にクリップ部材（例えば、実施形態におけるクリップ部材１０）を設けたことを特徴とする。
【発明の効果】
【０００８】
請求項１に記載した発明によれば、ヘルメットカバーをヘルメット本体に被せれば、ヘルメットカバーに設けた滑り止め部材により位置合わせをする必要もなくヘルメット本体に対してヘルメットカバーが摩擦力によりずれることなく固定できるため、ヘルメットカバーを取り付ける作業が簡単になる。また、ヘルメット本体の形状を選ばないため、汎用性を高められる。
また、ヘルメットカバーはヘルメット本体に被せられた状態でヘルメット本体の中心方向に締め付け力を生じさせることで、ヘルメット本体に対してずれることなく固定できるため、走行中にヘルメットカバーが脱落することもなく確実に取り付けられた状態を保持することができる。
【０００９】
請求項２に記載した発明によれば、ヘルメットカバーをヘルメット本体に装着した状態では、ヘルメットカバーによる収縮力は径内方向に向かうので、より一層強固に取り付けることができる。また、折り畳み可能なヘルメットカバーは持ち運びに便利である。
請求項３に記載した発明によれば、走行中などにヘルメットカバーがヘルメット本体から外れたとしても、クリップ部材によりヘルメットカバーが飛ばされることはない。
【発明を実施するための最良の形態】
【００１０】
次に、この発明の実施形態を図面に基づいて説明する。
図１に示すように、ヘルメット本体１は略半球形状のハーフタイプ（キャプ状）ものであって、開口部２周縁には側頭部に対応する位置に耳を避けるように輪状の止めベルト３，３が取り付けられ、この止めベルト３，３にブラケットベルト４，４が取り付けられている。各ブラケットベルト４には互いに係合するジョイント部材５，６が取り付けられている。
ヘルメット本体１の外表面の前部には開口部２に沿ってフロントホック７が３つ設けられ、このフロントホック７，７…にバイザーやシールドが着脱可能に取り付けられるようになっている。
【００１１】
ヘルメットカバー８は、有底円筒状で底部が半球状の部材であってヘルメット本体１を外側から覆うと共に該ヘルメット本体１に対し着脱可能に取付られるものである。ヘルメットカバー８はニットにより編み込まれ伸縮自在の部材であると共に簡単に折り畳めるような部材でヘルメット本体１に取り付けられた状態において、ヘルメット本体１の中心方向に締め付け力を生じさせるようにヘルメット本体１への取付前においてその開口部の内径（筒径）ｄはヘルメット本体１の外径Ｄよりも小さく設定されている。
【００１２】
ヘルメットカバー８の内周面にはヘルメット本体１の開口部２周縁に対応する位置にシリコンゴムなどの樹脂製の滑り止め部材９が２条（条列の数は２に限らない）設けられ、ヘルメットカバー８がヘルメット本体１に装着された状態ではヘルメットカバー８の持つ伸縮性によりヘルメット本体１が外部から収縮力を印加されることによりこの滑り止め部材９がヘルメット本体１に対して摩擦力を生じさせるようになっている。
そして、ヘルメットカバー８とヘルメット本体１とはクリップ部材１０で連結され、走行時にヘルメット本体１からヘルメットカバー８が離れた時にも、ヘルメット本体１からヘルメットカバー８が飛ばされないようになっている。具体的には、クリップ部材１０はヘルメット本体１の後部にコイル状部材１１の基端部が取り付けられ、このコイル状部材１１の先端部にヘルメットカバー８の縁部をクランプするクリップ本体１２が取り付けられている。
【００１３】
上記実施形態によれば、ヘルメット本体１にヘルメットカバー８を取り付ける場合には、ヘルメットカバー８の開口部周縁を把持して開くように伸ばした状態で、ヘルメットカバー８の滑り止め部材９をヘルメット本体１の開口部２周縁に合わせてヘルメットカバー８をヘルメット本体１に被せる。次に、ヘルメットカバー８の開口部周縁をヘルメット本体１に折り返して折返し部１３を形成すればヘルメット本体１を完全に覆い、個性的な外観のヘルメットＨとできる（図２参照）。
ここで、ヘルメットカバー８をヘルメット本体１に被せるだけで、ヘルメットカバー８に設けた滑り止め部材９，９により位置合わせをする必要もなくヘルメット本体１に対してヘルメットカバー８が摩擦力によりずれることなく固定できるため、ヘルメットカバー８を取り付ける作業が簡単になる。また、ヘルメット本体１の形状、大きさに対してヘルメットカバー８が追従して取り付けられヘルメット本体１の形状や大きさを選ばないため、汎用性を高められる。
【００１４】
ヘルメットカバー８はヘルメット本体１に被せられた状態でヘルメット本体１の中心方向に締め付け力を生じさせるニットにより編み込んだ部材であるため、ヘルメット本体１に対してずれることなくフィットして、走行中にヘルメットカバー８が脱落することなく確実に取り付けられた状態を保持することができる。
【００１５】
また、ヘルメットカバー８は折り畳み可能であるため、持ち運びに便利であると共にヘルメット本体１への取付前においてその開口部の内径ｄはヘルメット本体１の外径Ｄよりも小さく設定されているので、ヘルメットカバー８をヘルメット本体１に装着した状態では、ヘルメットカバー８による収縮力は径内方向に向かい、したがって、より一層強固に取り付けることができる。
そして、ヘルメットカバー８とヘルメット本体１とをクリップ部材１０で連結しているため、走行中などにヘルメットカバー８がヘルメット本体１から外れたとしても、クリップ部材１０により、ヘルメットカバー８はヘルメット本体１から飛ばされることはない。
逆に、このヘルメットカバー８はヘルメット本体１から外れる方向の力を受けた場合には、簡単に外れる。
このように本来は保護具としてのヘルメット本体１にファッション性を持たせたヘルメットカバー８を装着することで、運転者とりわけ女性の運転者の抵抗感を払拭することができる。
【００１６】
ここで、図３に示すように、ヘルメットカバーの形状を後側に折返し部１９を設けると共に前側に庇部２０を設けたヘルメットカバー１８としたり、図４に示すように、左右に折返し部２１，２１を設けてこれら左右の折返し部２１，２１を交互に折り返すようにして、ターバンのようなユニークなヘルメットカバー２８とすることができる。尚、図３、図４において図１と同一態様部分には同一符号を付して説明する。
【００１７】
次に、図５、図６に基づいてこの発明の第２実施形態を説明する。この第２実施形態では、ヘルメットカバーとして異なる形態のヘルメットカバー３８を採用している。このヘルメットカバー３８もニットで編み込まれ伸縮自在で簡単に折り畳めるものであるが、一端部３９と他端部４０が共に開口された筒状のものでヘルメット本体１を覆うと共に該ヘルメット本体１に対し着脱可能に取付られるものである。したがって、ヘルメット本体１に取り付けられた状態において、ヘルメット本体１の中心方向に締め付け力を生じさせるようにヘルメット本体１への取付前においてその開口部の内径ｄはヘルメット本体１の外径Ｄよりも小さく設定されている。
【００１８】
ヘルメットカバー３８の一端部３９の内周面にはヘルメット本体１の開口部２周縁に対応する位置にシリコンゴムなどの樹脂製の滑り止め部材９が２条（条列の数は２に限らない）設けられ、ヘルメットカバー３８がヘルメット本体１に装着された状態でこの滑り止め部材９がヘルメット本体１に対して摩擦力を生じさせるようになっている。尚、ヘルメットカバー３８の他端部４０にも滑り止め部材９，９を設けて何れの側からでも装着できるようにすることもできる。ここで、シリコンゴムは一例であって、滑り止め機能を備えていれば他の種類のゴム材でもよく、ゴム以外の材料でもよい。
【００１９】
したがって、図６に示すようにヘルメット本体１に一端部３９を装着し、装着された一端部３９を折返して折返し部４１を形成し、余った他端部４０は結んで閉じれば、ユニークなヘルメットカバー３８とすることができ、取り付ける作業が簡単で、ヘルメット本体１の形状を選ばない汎用性のあるものとすることができる。また、ヘルメットカバー３８はヘルメット本体１に被せられた状態でヘルメット本体１の中心方向に締め付け力を生じさせることで、ヘルメット本体１に対してずれることなく固定できるため、走行中にヘルメットカバー３８が脱落することもなく確実に取り付けられた状態を保持することができると共に、折り畳み可能なヘルメットカバー３８は持ち運びに便利である点は前記第１実施形態と同様である。
【００２０】
ここで、図示はしていないがヘルメットカバー３８とヘルメット本体１との間に第１実施形態のクリップ部材１０を設ければ、走行中などにヘルメットカバー３８がヘルメット本体１から外れたとしても、クリップ部材１０によりヘルメットカバー３８が飛ばされることはない。
【００２１】
尚、この発明は上記実施形態に限られるものでなく、例えば、図７に示すようにニットで編み込まれたものであることを生かして、第１実施形態のヘルメットカバー８に動物を連想させる耳部４２を縫い付けてもよい。
また、上記実施形態ではニットを編み込んで伸縮自在に形成されたヘルメットカバー８について説明したが、ある程度保形成のある軟質樹脂で、例えば、図８に示すように外表面に自由に凹凸を形成することができるヘルメットカバー４９を用いることができる。このような樹脂材を用いたヘルメットカバー４９とすれば、軟質性の樹脂材自体が備えた伸縮性を利用して、ヘルメット本体１にセットすることができる。この場合には、ヘルメットカバー４９自体が滑り止め機能を有することとなり、このヘルメットカバー４９自体がヘルメット本体１との間に摩擦力を発生する。また、ヘルメットカバー４９として用いられる樹脂の厚さは、例えば、０．５ｍｍ程度の薄いものを用いてもよい。そして、積極的に滑り止め部材９を用いないこの態様では、ヘルメット本体１からヘルメットカバー４９が脱落しないように、ヘルメット本体１に設けられたフロントホック７の位置を部分的に凸設し、ヘルメットカバー４９の内側にフロントホック７を受容する凹部５０を設けてもよい。
【図面の簡単な説明】
【００２２】
【図１】この発明の第１実施形態のヘルメットカバー装着前の分解斜視図である。
【図２】図１の装着状態を示す斜視図である。
【図３】第１実施形態の他の態様を示す斜視図である。
【図４】第１実施形態の別の態様を示す斜視図である。
【図５】この発明の第２実施形態のヘルメットカバーの斜視図である。
【図６】この発明の第２実施形態のヘルメットカバー装着状態を示す斜視図である。
【図７】第１実施形態の更に他の態様を示す斜視図である。
【図８】別の実施形態を示す斜視図である。
【図９】図８のＡ−Ａ線に沿う断面図である。
【符号の説明】
【００２３】
１  ヘルメット本体
８  ヘルメットカバー
９  滑り止め部材
１０  クリップ部材
ｄ  開口部の内径（筒径）
Ｄ  外径
【図１】
2007023448.tif 000003
【図２】
2007023448.tif 000004
【図３】
2007023448.tif 000005
【図４】
2007023448.tif 000006
【図５】
2007023448.tif 000007
【図６】
2007023448.tif 000008
【図７】
2007023448.tif 000009
【図８】
2007023448.tif 000010
【図９】
2007023448.tif 000011